(57)【要約】【課題】キーワードに基づいて検索エンジンを介して検索された膨大な数の閲覧サイト情報から、利用者が有益と判断した閲覧サイト情報のみを確実に取得することが課題である。【解決手段】検索エンジンを介して検索された閲覧サイト情報から有益と判断し選択した閲覧サイト情報のＵＲＬなどを個別登録サイト情報として任意の記憶領域に記録できる機能を備え、更に再度、同じキーワードに基づいて検索エンジを介して検索する閲覧サイト情報に含まれるＵＲＬと前述の記憶領域に記録された個別登録サイト情報のＵＲＬとの同一性を判別し、同一のＵＲＬを含む有益な閲覧サイト情報を検索画面に表示する手段を提供し前記課題を解決する。【選択図】図１
2004133873.tif 000002
【特許請求の範囲】
【請求項１】
少なくとも検索キーワードを含む検索要求に基づいてネットワーク上の検索エンジンを介して検索された閲覧サイト情報から、任意に選択する閲覧サイト情報に含まれる少なくともＵＲＬの識別情報を任意の記録領域に記録することを前提に、新たな検索要求に対して、前記検索エンジンを介して検索された閲覧サイト情報に含まれるＵＲＬと、前記記録領域に記録された前記識別情報が明示するＵＲＬの同一性の判別結果に基づいて該閲覧サイト情報を取得する手段を有することを特徴とする有益閲覧サイト検索方法。
【発明の詳細な説明】
【０００１】
【発明の属する技術分野】本発明は、ネットワーク上で利用可能な検索エンジンから検索キーワード（以下、検索キーワードを、説明の便宜上、必要に応じてキーワードと略記する。）に基づいて利用者が有益と判断した閲覧サイト情報を確実に検索できる手段を提供する方法に関するものである。
【０００２】
【従来の技術】ネットワークで利用可能な検索エンジンに於いて、複数のキーワードの組合わせによって利用者が欲する閲覧サイト情報をかなり正確に検索することが可能ではあるが、キーワードの種類によっては、検索される閲覧サイト情報のヒット数が数千、或いは数万に達することも珍しくないのが現状である。この膨大な数の閲覧サイト情報から有益な閲覧サイト情報を閲覧用ブラウザである、例えばＩＥ（マイクロソフト）のお気に入りで管理する場合であっても、有益な閲覧サイト情報が複数存在する場合には管理が煩雑になるために前述のお気に入りで管理するべきか否かの判断に迷う場合がある。もし、お気に入りに登録しなかった場合には同じキーワードで後日検索したとしてもそのヒット数は変わらないため、利用者が以前に有益と判断した閲覧サイト情報を、検索エンジンを介して検索された膨大な数の閲覧サイト情報から自らの記憶に頼って再度探し出す必要がある。
【０００３】また、お気に入りの管理方法としてカテゴリー毎に細かく閲覧サイト情報を管理するプログラムなどもあるが、例えばサービスが停止された閲覧サイト情報、或いは後日不要と判断した閲覧サイト情報の削除などの整理が煩雑になり、管理する閲覧サイト情報の数が膨大になればなるほど目的の閲覧サイト情報を直感的に見つけ出すことが困難になる場合がある。
【０００４】
【発明が解決しようとする課題】
キーワードに基づいて検索エンジンを介して検索された膨大な数の閲覧サイト情報から、利用者が有益と判断した閲覧サイト情報のみを確実に取得することが課題である。
【０００５】
【課題を解決するための手段】上記の課題を解決するためには、キーワードに基づいて検索エンジンから検索された閲覧サイト情報を閲覧用ブラウザの検索画面に表示する既存の機能に加えて、検索画面に表示された該閲覧サイト情報から有益と判断し選択した閲覧サイト情報のＵＲＬなどを個別登録サイト情報として任意の記憶領域に記録できる機能と、更に再度、同じキーワードに基づいて検索エンジを介して検索する閲覧サイト情報に含まれるＵＲＬと前述の記憶領域に記録された個別登録サイト情報のＵＲＬの同一性を判別し、同一のＵＲＬを含む有益な閲覧サイト情報を検索画面に表示する方法が必要となる。
【０００６】ネットワーク上で利用可能な複数の検索エンジンは、有益な閲覧サイト情報の検索を目的とする利用者に多大な利便性を提供している。本発明の説明に不可欠なこれらの検索エンジンには、利用者が希望するキーワードを含む検索要求に対して検索結果を提供する、例えば、Ｇｏｏｇｌｅが公開しているＡＰＩ（Ｇｏｏｇｌｅ　Ｗｅｂ　ＡＰＩｓ）を有効利用することで本発明を実現する。
【０００７】本発明は、検索画面、検索画面からの検索要求を処理する検索要求処理サーバ及び検索エンジンで構成される。検索画面で利用者が任意に選択するキーワードを受信した検索要求処理サーバは、各種の検索条件とキーワードから成る検索要求をＧｏｏｇｌｅなどの検索エンジンに送信し、これに応じて検索エンジンを介して検索する閲覧サイト情報であるタイトル、ＵＲＬ、ヒット数、表示開始・終了インデックス、要約情報などを検索画面に表示する機能を有する。また、検索された閲覧サイト情報から有益と判断し選択する閲覧サイト情報のＵＲＬなどを個別登録サイト情報として利用者サイトのＰＣ、或いは検索要求処理サーバの何処に記録するかによって、更に記録された個別登録サイト情報を利用者サイトのＰＣ、或いは検索要求処理サーバの何れから参照するかによってそれぞれの処理方法を説明する。
【０００８】
【発明の実施の形態】以下、本発明の実施形態を図面と共に例示する。図１は、本発明における有益閲覧サイト検索方法を説明する実施形態の内、利用者サイトのＰＣに保存された個別登録サイト情報を検索要求処理サーバ５０で参照及び変更する場合のネットワーク構成を表現する図である。図に於いて、利用者サイトのＰＣ１０−１〜ＰＣ１０−ｎ（以下、ＰＣ１０−１〜ＰＣ１０−ｎは、必要に応じてＰＣ１０と略記する）に個別に保存される個別基本ファイル１１−１〜１１−ｎ（以下、個別基本ファイル１１−１〜１１−ｎは、必要に応じて個別基本ファイル１１と略記する）は、閲覧用ブラウザにネットワーク４０を介して該サーバが提供する検索画面（以下、閲覧用ブラウザに該サーバが提供する検索画面は、必要に応じて検索画面と略記する）から入力する検索条件及びキーワードから成る検索要求に基づいて検索エンジン６０を介して検索された閲覧サイト情報から利用者が有益と判断した閲覧サイト情報のＵＲＬなどの個別登録サイト情報を記録する。また、該ファイルには、検索時に入力したキーワードに関連付けて個別登録サイト情報が記録される。
【０００９】検索要求処理サーバ５０は、セッションを確立したＰＣ１０に保存された個別基本ファイル１１を個別基本ファイル５１−１〜５１−ｎ（以下、個別基本ファイル５１−１〜５１−ｎは、必要に応じて個別基本ファイル５１と略記する）として取得し、ＰＣ１０の検索画面と関連付けて該ファイルを一時的に保存する。此れにより、該サーバは、該ファイルを参照することにより利用者が過去に入力したキーワードを検索画面に表示することが可能になり、表示されたキーワードから利用者が任意に選択したキーワード及び検索条件に基づいて検索エンジン６０を介して検索された閲覧サイト情報のＵＲＬと該ファイルに記録された個別登録サイト情報のＵＲＬの同一性を判別し、同一のＵＲＬを含む有益な閲覧サイト情報を検索画面に提供することが可能になる。
【００１０】図２は、利用者サイトのＰＣに保存した個別登録サイト情報の内容を該サイトの検索処理プログラム２１から参照及び変更する場合のネットワーク構成を表現する図である。図に於いて、利用者サイトのＰＣ２０−１〜ＰＣ２０−ｎ（以下、ＰＣ２０−１〜ＰＣ２０−ｎは、必要に応じてＰＣ２０と略記する）に個別に保存される個別基本ファイル２２−１〜２２−ｎ（以下、個別基本ファイル２２−１〜２２−ｎは、必要に応じて個別基本ファイル２２と略記する）は、該プログラムが提供する検索画面から入力する検索条件及びキーワードから成る検索要求に基づいて検索エンジン６０を介して検索された閲覧サイト情報から利用者が有益と判断し選択した閲覧サイト情報のＵＲＬなどの個別登録サイト情報を記録する。また、該ファイルには、検索時に入力したキーワードに関連付けて個別登録サイト情報が記録される。
【００１１】此れにより、検索処理プログラム２１は、該ファイルを参照することにより利用者が過去に入力したキーワードを検索画面に表示することが可能になり、表示されたキーワードから利用者が任意に選択したキーワード及び検索条件から成る検索要求、更に該キーワードに関連付けて該ファイルに記録される個別登録サイト情報のＵＲＬをセッションが確立した検索要求処理サーバ５０に送信する。該サーバは、受信した検索要求に基づいて検索エンジン６０を介して検索された閲覧サイト情報のＵＲＬと該プログラムから受信したＵＲＬの同一性を判別し、同一のＵＲＬを含む有益な閲覧サイト情報を該プログラムに送信する。また。該プログラムは、受信した該閲覧サイト情報を検索画面に表示する。
【００１２】図３は、検索要求処理サーバ５０に備える個別登録サイト情報を参照及び変更する場合のネットワーク構成を表現する図である。図に於いて、利用者サイトのＰＣ３０−１〜ＰＣ３０−ｎ（以下、ＰＣ３０−１〜ＰＣ３０−ｎは、必要に応じてＰＣ３０と略記する）が利用者の固有のユーザーＩＤ・パスワードなどの認証情報を該サーバの認証情報管理テーブル５２に登録していない場合には、利用者は、ネットワーク４０を介して該サーバが提供する認証画面から認証情報を入力し該認証情報管理テーブル登録した後に、該サーバの認証を受ける。
【００１３】検索要求処理サーバ５０は、利用者の認証情報から固有の認証識別子を生成し、該認証情報に対応付けて該認証識別子を認証情報管理テーブル５２に記録すると共に該認証識別子に関連付けて個別基本テーブル５３−１〜５３−ｎ（以下、個別基本テーブル５３−１〜５３−ｎは、必要に応じて個別基本テーブル５３と略記する）を生成する。個別基本テーブル５３は、検索画面から入力する検索条件及びキーワードから成る検索要求に基づいて検索エンジン６０を介して検索された閲覧サイト情報から利用者が有益と判断した閲覧サイト情報のＵＲＬなどの個別登録サイト情報を記録する。また、該テーブルには、検索時に入力したキーワード毎に関連付けて個別登録サイト情報が記録される。
【００１４】検索要求処理サーバ５０は、個別基本テーブル５３を参照することにより認証されたＰＣ３０の検索画面に利用者が過去に入力したキーワードを表示することが可能になり、表示されたキーワードから利用者が任意に選択したキーワード及び検索条件に基づいて検索エンジン６０を介して検索された閲覧サイト情報のＵＲＬと該テーブルに記録された個別登録サイト情報のＵＲＬの同一性を判別し、同一のＵＲＬを含む有益な閲覧サイト情報を検索画面に提供することが可能になる。
【００１５】図４は、図１のネットワーク構成により実現する処理手順の一例を示すフローチャートである。検索要求処理サーバ５０は、セッションを確立したＰＣ１０の検索画面（ステップＳ１）から該ＰＣが個別基本ファイル１１を保有するか否かを確認し、該ファイルを保有する場合（ステップＳ２の「有」）は、該ファイルを該サーバに個別基本ファイル５１として取り込み（ステップＳ３）、該ファイルに記録されたキーワードを検索画面に表示し、また、保有しない場合（ステップＳ２の「無」）は、表示するキーワードが無い旨を検索画面に表示（ステップＳ４）する。
【００１６】検索要求処理サーバ５０は、利用者が検索画面に表示されたキーワードから選択したキーワード、或いは新たに入力するキーワードと検索条件から成る検索要求（ステップＳ５）を検索エンジン６０が検索処理可能な形式に変換し該検索エンジンに送信し、該検索エンジンから該キーワードに基づく閲覧サイト情報を取得する（ステップＳ６）。
【００１７】検索要求処理サーバ５０は、利用者が入力したキーワードが個別基本ファイル５１に記録されているか否かを判別し、記録されている場合は、記録済みキーワードによる検索（ステップＳ７「ＹＥＳ」）と判別し、検索エンジン６０を介して検索された閲覧サイト情報のＵＲＬと該ファイルに記録されている該キーワードに対応する個別登録サイト情報のＵＲＬの同一性を判別し、同一のＵＲＬを含む利用者に有益な閲覧サイト情報をメモリーにキャッシング（ステップＳ８）する。また、記録されていないキーワードによる検索（ステップＳ７「ＮＯ」）と判別した場合は、該検索エンジンから取得した該キーワードに関連する全ての閲覧サイト情報をメモリーにキャッシングする。この処理結果としてキャッシングされた閲覧サイト情報を検索画面に表示（ステップＳ９）する。
【００１８】利用者は、過去に有益と判断した閲覧サイト情報から新たに不要と判断した、或いは新たに有益と判断した閲覧サイト情報を検索画面から選択し、個別基本ファイル５１から個別登録サイト情報を削除、或いは該ファイルに個別登録サイト情報として追加することが可能であり、検索要求処理サーバ５０は、検索画面から追加・削除要求を確認（ステップＳ１０「ＹＥＳ」）した場合には、該要求に含まれるキーワード、即ちステップＳ７で該ファイルに記録されていない新規のキーワードであると判別されている場合は、該キーワードを該ファイルに新たに記録し、更に、該要求に含まれる任意の閲覧サイト情報の処理、即ち新たに有益と判断した閲覧サイト情報を該キーワードに関連付けて該ファイルに追加記録、或いは不要と判断した閲覧サイト情報を該キーワードに関連付けて該ファイルから削除（ステップＳ１１）した後に、または、追加・削除要求が無い場合（ステップＳ１０「ＮＯ」）は、検索を終了する。また、該サーバは、追加、或いは削除に伴って内容が変更された該ファイルをＰＣ１０が保有する古い個別基本ファイル１１を置き換えて新たな個別基本ファイル１１として保存（ステップＳ１２）する。
【００１９】図５は、図２のネットワーク構成により実現する処理手順の一例を示すフローチャートである。検索処理プログラム２１は、ＰＣ２０が個別基本ファイル２２を保有するか否かを確認し、該ファイルを保有する場合（ステップＳ１３の「有」）は、該ファイルに記録されているキーワードを取り込み（ステップＳ１４）、該キーワードを検索画面に表示し、また、該ファイルを保有しない場合（ステップＳ１３の「無」）は、表示するキーワードが無い旨を検索画面に表示（ステップＳ１５）する。
【００２０】検索処理プログラム２１は、利用者が検索画面から新たにキーワードを入力、或いは検索画面に表示されたキーワードから利用者が選択（ステップＳ１６）した場合は、検索要求処理サーバ５０とのセッションを確立（ステップＳ１７）すると共に、該キーワードがＰＣ２０に保存される個別基本ファイル２２に記録されているか否かを判別し、記録されていない新規のキーワードである場合（ステップＳ１８「ＮＯ」）は、該キーワードと検索条件から成る検索要求を該サーバに送信（ステップＳ１９）し、或いは該キーワードが該ファイルに既に記録されている場合（ステップＳ１８「ＹＥＳ」）は、該キーワードと検索条件から成る検索要求と該キーワードに関連付けて記録される個別登録サイト情報のＵＲＬを該サーバに送信（ステップＳ２０）する。
【００２１】検索要求処理サーバ５０は、該検索要求を検索エンジン６０が検索処理可能な形式に変換し該検索エンジンに送信し、前述の判別結果から個別基本ファイル２２に記録済みのキーワードによる検索である場合には、該検索エンジンを介して取得した閲覧サイト情報のＵＲＬと検索処理プログラム２１から受信した個別登録サイト情報のＵＲＬの同一性を判別し、同一のＵＲＬを含む利用者に有益な閲覧サイト情報をメモリーにキャッシングし、また、新規のキーワードによる検索である場合には、該検索エンジンを介して取得した全ての閲覧サイト情報をメモリーにキャッシングする。該プログラムは、このキャッシングされた閲覧サイト情報を該サーバから取得し（ステップＳ２１）、検索画面に表示（ステップＳ２２）する。
【００２２】利用者は、過去に有益と判断した閲覧サイト情報から新たに不要と判断した、或いは新たに有益と判断した閲覧サイト情報を検索画面から選択し、個別基本ファイル２２から個別登録サイト情報を削除、或いは該ファイルに個別登録サイト情報として追加することが可能である。検索処理プログラム２１は、追加・削除要求を確認（ステップＳ２３「ＹＥＳ」）した場合には、該要求に含まれるキーワード、即ちステップＳ１８で該ファイルに記録されていない新規のキーワードであると判別されている場合は、該キーワードを該ファイルに新たに記録し、更に、該要求に含まれる新たに有益と判断した閲覧サイト情報を該キーワードに関連付けて該ファイルに追加記録し、或いは不要と判断した閲覧サイト情報を該キーワードに関連付けて該ファイルから削除（ステップＳ２４）した後に、また、追加・削除要求が無い場合（ステップＳ２３「ＮＯ」）は、検索を終了する。
【００２３】図６は、図３のネットワーク構成により実現する処理手順の一例を示すフローチャートである。検索要求処理サーバ５０は、認証情報管理テーブル５２にユーザーＩＤ・パスワードなどの認証情報と該認証情報に対応する認証識別子を管理する。更に該サーバは、該サーバが提供する認証画面から利用者が提供する認証情報と該認証情報管理テーブルに記録される該利用者の該認証情報の一致を確認し該利用者を認証した（ステップＳ２５）後に、該認証識別子に関連付けて備える個別基本テーブル５３に記録されたキーワードを検索画面に表示（ステップＳ２６）する。
【００２４】検索要求処理サーバ５０は、利用者が検索画面に表示されたキーワードから選択したキーワード、或いは新たに入力するキーワードと検索条件から成る検索要求（ステップＳ２７）を検索エンジン６０が検索処理可能な形式に変換し該検索エンジンに送信し、該検索エンジンから該キーワードに基づく閲覧サイト情報を取得する（ステップＳ２８）。
【００２５】検索要求処理サーバ５０は、利用者が入力したキーワードが個別基本テーブル５３に記録されているか否かを判別し、記録されている場合は、記録済みキーワードによる検索（ステップＳ２９「ＹＥＳ」）と判別し、検索エンジン６０を介して検索された閲覧サイト情報のＵＲＬと該テーブルに記録されている該キーワードに対応する個別登録サイト情報のＵＲＬの同一性を判別し、同一のＵＲＬを含む利用者に有益な閲覧サイト情報をメモリーにキャッシング（ステップＳ３０）する。また、記録されていないキーワードによる検索（ステップＳ２９「ＮＯ」）と判別した場合は、該検索エンジンから取得した該キーワードに関連する全ての閲覧サイト情報をメモリーにキャッシングする。この処理結果としてキャッシングされた閲覧サイト情報を検索画面に表示（ステップＳ３１）する。
【００２６】利用者は、過去に有益と判断した閲覧サイト情報から新たに不要と判断した、或いは新たに有益と判断した閲覧サイト情報を検索画面から選択し、個別基本テーブル５３から個別登録サイト情報を削除、或いは該テーブルに個別登録サイト情報として追加することが可能である。検索要求処理サーバ５０は、追加・削除要求を確認（ステップＳ３２「ＹＥＳ」）した場合には、該要求に含まれるキーワード、即ちステップＳ２９で該テーブルに記録されていない新規のキーワードであると判別されている場合は、該キーワードを該テーブルに新たに記録し、更に、該要求に含まれる新たに有益と判断した閲覧サイト情報を該キーワードに関連付けて該テーブルに追加記録し、或いは不要と判断した閲覧サイト情報を該キーワードに関連付けて該ファイルから削除（ステップＳ３３）した後に、また、追加・削除要求が無い場合（ステップＳ３２「ＮＯ」）は、検索を終了する。
【００２７】図７は、検索要求処理サーバ５０が前述の検索要求により検索エンジン６０から閲覧サイト情報を取得する処理手順の一例を示すフローチャートである。該サーバは、前述の検索要求を検索エンジン６０に送信し（ステップＳ３４）、該検索エンジンから取得する、例えば閲覧サイト情報のヒット数、検索画面に表示する範囲を規定する表示開始及び終了インデックス、更に検索画面に表示する範囲の閲覧サイト情報毎のタイトル、ＵＲＬ及び要約など（ステップＳ３５）から前述の個別登録サイト情報のＵＲＬとの同一性を判別し、一致する場合（ステップＳ３６「ＹＥＳ」）は、タイトル、ＵＲＬ及び要約などを一時的にメモリーにキャッシング（ステップＳ３７）し、また、不一致の場合（ステップＳ３６「ＮＯ」）は、メモリーにキャッシングすることなく次のステップを実行する。尚、ステップＳ３６「ＮＯ」は、前述の個別登録サイト情報として記録されていない利用者が新たに有益な閲覧サイト情報を見つけ出すことを可能にする。
【００２８】検索要求処理サーバ５０は、ステップＳ３６の判別処理で表示終了インデックス範囲を超えたか否かを判別し、超えていない場合（ステップＳ３８「ＮＯ」）は、更に利用者に有益な閲覧サイト情報のＵＲＬを全て検索したか否かを判別し、検索を終了していない場合（ステップＳ３９「ＮＯ」）は、ステップ３６に戻り、次の閲覧サイト情報のＵＲＬを判別する。また、該サーバは、表示終了インデックス範囲を超えた場合（ステップＳ３８「ＹＥＳ」）は、前述のヒット数を超えたか否かを判別し、超えていない場合（ステップＳ４０「ＮＯ」）は、表示終了インデックスの次のインデックスから再度検索する為にステップ３４に戻る。また、該サーバは、有益な閲覧サイト情報のＵＲＬを全て検索した場合（ステップＳ３９「ＹＥＳ」）、或いはヒット数を超えた場合（ステップＳ４０「ＹＥＳ」）は、前述のメモリーに格納された閲覧サイト情報、即ち利用者に有益な全ての閲覧サイト情報を取得することが可能になる（ステップＳ４１）。
【００２９】図８は、キーワード及びＵＲＬそのものを個別登録サイト情報として記録する形態を表現する図である。ファイル１００は、図１に於いては利用者サイトのＰＣに保存する個別基本ファイル１１、検索要求処理サーバ５０に一時的に保有する個別基本ファイル５１を表現するものであり、また、図２に於いては利用者サイトのＰＣに保存する個別基本ファイル２２を表現するものである。該ファイルは、キーワード及びＵＲＬなどのレコード中の各フィールドを、コンマをデリミタとして列挙したデータフォーマット形式、所謂ＣＳＶ形式を前提としているが、検索画面から参照・変更可能な任意の形式のファイルを利用することができる。また、個別基本ファイル２２は、ＰＣ２０の検索処理プログラム２１から直接参照・変更可能な形式のファイル、或いはマイクロソフトのＡｃｃｅｓｓなどの簡易データベースを利用することを前提としている。また、テーブル１０１は、図３に於いて検索要求処理サーバ５０に備える任意のデータベースの個別基本テーブル５３を表現するものである。これらのファイル、或いはテーブルにはキーワード及びＵＲＬそのものを個別登録サイト情報として記録する。
【００３０】図９は、キーワード及びＵＲＬの識別コードを個別登録サイト情報として記録する形態を表現する図である。ファイル１０２は、図１に於いては利用者サイトのＰＣに保存する個別基本ファイル１１、検索要求処理サーバ５０に一時的に保有する個別基本ファイル５１を表現するものであり、また、図２に於いては利用者サイトのＰＣに保存する個別基本ファイル２２を表現するものである。また、該ファイルもＣＳＶ形式を前提としているが、前述と同様に任意の形式のファイルを利用することが可能である。また、個別基本ファイル２２も前述と同様に任意の形式のファイル、或いは簡易データベースを利用することができる。また、テーブル１０３は、図３に於いて検索要求処理サーバ５０に備える任意のデータベースの個別基本テーブル５３を表現するものである。これらのファイル、或いはテーブルにはキーワード及びＵＲＬの識別コードを個別登録サイト情報として記録する。
【００３１】個別基本ファイル、或いはテーブルに識別コードを個別登録サイト情報として記録する方法は、キーワード及びＵＲＬそのものを記録する方法に比べて、利用者のＰＣと検索要求処理サーバ５０間で送受信されるファイルのサイズを格段に小さく抑えることが出来る。然しながら、該識別コードからキーワード及びＵＲＬを参照する為のテーブルを別途備える必要があり、此処では検索要求処理サーバ５０が該テーブルを備える事を前提に、該サーバは、該サーバを利用する全ての利用者が登録したキーワードを重複する事無く任意の識別コード（図に於けるキーワードＩＤ）に対応付けて記録するキーワード共有管理テーブル１０４と、該サーバを利用する全ての利用者が有益と判断した閲覧サイト情報のＵＲＬを重複する事無く任意の識別コード（図に於けるＵＲＬＩＤ）に対応付けて記録するＵＲＬ共有管理テーブル１０５を備える。尚、それぞれのテーブルに記録される識別コードは、前述の個別基本ファイル、或いはテーブルの識別コードから参照することができるものとする。
【００３２】図１０は、検索画面の通常検索結果及び閲覧サイト情報選択画面１０６を表現する図である。該通常検索結果及び閲覧サイト情報選択画面に表現する通常検索キーワード枠から任意のキーワード、例えば図に於ける、経済ニュースと政治ニュースを入力し「検索ボタン」をクリックすると、検索要求処理サーバ５０を介して検索エンジン６０から検索画面の通常検索結果及び閲覧サイト情報選択項目以下に閲覧サイト情報（図に於いては、検索サイトのタイトル及び要約）が表示される。更に本発明を可能にする為に、閲覧サイト情報の右サイドにチェックボックスが表示される。
【００３３】利用者は、表示された閲覧サイト情報をクリックすることによりアクセスした閲覧サイトが有益であるか否かを確認し、有益な閲覧サイト情報のチェックボックス、例えば図に於ける、経済ニュースＡ、Ｂ、Ｃ、政治ニュースＡ、Ｂをチェックし、更にチェック済み閲覧サイトの「登録ボタン」をクリックし、該利用者が有益と判断した閲覧サイト情報を前述のファイル、或いはテーブルに記録する。尚、図に於いて「次の画面選択ボタン」は、閲覧サイト情報のヒット数が表示された閲覧サイト情報より多い場合に、次の検索結果を表示する為のボタンを表現するものである。
【００３４】図１１は、検索画面の有益閲覧サイト情報の検索キーワード選択画面１０７及び有益閲覧サイト情報の検索結果画面１０８を表現する図である。該有益閲覧サイト情報の検索キーワード選択画面に表現する有益閲覧サイト情報の検索キーワード選択項目以下に前述のファイル、或いはテーブルに記録されているキーワードを表示し、更に本発明を可能にする為に、キーワードの右サイドにチェックボックスが表示される。利用者は、検索を希望するキーワードのチェックボックス、例えば図に於ける、経済ニュース、政治ニュースをチェックし、更にチェック済みキーワードの「検索ボタン」をクリックすると、該利用者が過去に登録した有益な閲覧サイト情報を後述するように表示することが出来る。尚、図に於いて“登録済み閲覧サイトに一致”に対応するチェックボックスがチェックされた場合は、チェック済みキーワードに対応する前述の個別登録サイト情報のＵＲＬを対象に検索を行い、或いは“不一致”に対応するチェックボックスがチェックされた場合は、チェック済みキーワードに対応する前述の個別登録サイト情報のＵＲＬ以外を対象に検索を行う。
【００３５】また、有益閲覧サイト情報の検索結果画面１０８は、有益閲覧サイト情報の検索結果以下に利用者が欲する有益な閲覧サイト情報を表示する形態を表現する。また、利用者が不要と判断した閲覧サイト情報の右サイドのチェックボックスからチェックを解除し、チェック済み閲覧サイトの「登録ボタン」をクリックすることにより、不要な個別登録サイト情報を削除することができる。尚、検索キーワード選択画面１０７及び有益閲覧サイト情報の検索結果画面１０８の通常検索キーワード枠の「検索ボタン」は、新たに任意のキーワードを入力し検索する為のボタンを表現するものである。
【００３６】
【発明の効果】以上説明したように、本発明にかかる有益閲覧サイト検索方法に於いては、検索の度に検索エンジンが提供する利用者にとって不要な閲覧サイト情報を含む膨大な検索結果から、利用者に有益な閲覧サイト情報のみを閲覧用ブラウザのお気に入りで管理すること無く容易に取得することが出来る。また、利用者は、有益な閲覧サイト情報が複数存在する場合であっても、例えばサービスが停止された閲覧サイト情報、或いは後日不要と判断した閲覧サイト情報の削除などの煩雑な管理をすること無く、キーワードから目的の有益閲覧サイト情報を直感的に取得することが出来る。
【図面の簡単な説明】
【図１】利用者サイトのＰＣに保存された個別登録サイト情報を検索要求処理サーバで参照及び変更する場合のネットワーク構成を表現する為の一例を示すものである。
【図２】利用者サイトのＰＣに保存した個別登録サイト情報の内容を検索画面から参照及び変更する場合のネットワーク構成を表現する為の一例を示すものである。
【図３】検索要求処理サーバに配置される個別登録サイト情報を参照及び変更する場合のネットワーク構成を表現する図である。
【図４】図１のネットワーク構成により実現する処理手順の一例を示すフローチャートである。
【図５】図２のネットワーク構成により実現する処理手順の一例を示すフローチャートである。
【図６】図３のネットワーク構成により実現する処理手順の一例を示すフローチャートである。
【図７】検索要求処理サーバが検索要求により検索エンジンから閲覧サイト情報を取得する処理手順の一例を示すフローチャートである。
【図８】キーワード及びＵＲＬそのものを個別登録サイト情報として記録する形態を表現する図である。
【図９】キーワード及びＵＲＬの識別コードを個別登録サイト情報として記録する形態を表現する図である。
【図１０】検索画面の通常検索結果及び閲覧サイト情報選択画面を表現する図である。
【図１１】検索画面の有益閲覧サイト情報の検索キーワード選択画面及び有益閲覧サイト情報の検索結果画面を表現する図である。
【符号の説明】
１０−１〜１０−ｎ・・・・利用者サイトのＰＣ
１１−１〜１１−ｎ・・・・個別基本ファイル
２０−１〜２０−ｎ・・・・利用者サイトのＰＣ
２１・・・・・・・・・・・検索処理プログラム
２２−１〜２２−ｎ・・・・個別基本ファイル
３０−１〜３０−ｎ・・・・利用者サイトのＰＣ
４０・・・・・・・・・・・ネットワーク
５０・・・・・・・・・・・検索要求処理サーバ
５１−１〜５１−ｎ・・・・個別基本ファイル
５２・・・・・・・・・・・認証情報管理テーブル
５３−１〜５３−ｎ・・・・個別基本テーブル
６０・・・・・・・・・・・検索エンジン
１００・・・・・・・・・・ファイル
１０１・・・・・・・・・・テーブル
１０２・・・・・・・・・・ファイル
１０３・・・・・・・・・・テーブル
１０４・・・・・・・・・・キーワード共有管理テーブル
１０５・・・・・・・・・・ＵＲＬ共有管理テーブル
１０６・・・・・・・・・・通常検索結果及び閲覧サイト情報選択画面
１０７・・・・・・・・・・有益閲覧サイト情報の検索キーワード選択画面
１０８・・・・・・・・・・有益閲覧サイト情報の検索結果画面
【図１】
2004133873.tif 000003
【図２】
2004133873.tif 000004
【図３】
2004133873.tif 000005
【図４】
2004133873.tif 000006
【図５】
2004133873.tif 000007
【図６】
2004133873.tif 000008
【図７】
2004133873.tif 000009
【図８】
2004133873.tif 000010
【図９】
2004133873.tif 000011
【図１０】
2004133873.tif 000012
【図１１】
2004133873.tif 000013